(57)【要約】【課題】地上波デジタル放送は、特定のチャンネルを選局して視聴し続けた場合、他チャンネルの電子番組表は更新されないままとなり、その間に番組の時間枠が変更となった場合、指定した番組への予約した制御が予約者の意図した番組の開始時刻に始まらなくなるという課題があった。【解決手段】電子番組案内中の特定の番組を指定して、該番組への制御予約を行う主制御部と、制御予約の情報を保存する制御予約データ保持部を備えるとともに、インターネットを介して番組情報の提供サーバより番組情報を取得するネットワーク接続部を制御するネットワーク側制御部を備え、番組案内を受信中の放送については該主制御部で制御して更新し、受信中とは異なる放送については該ネットワーク側制御部で制御して更新するようにした。【選択図】　図１
2004147235.tif 000002
【特許請求の範囲】
【請求項１】
デジタル放送から映像および音声を受信するとともに番組情報を取得して電子番組案内を作成するデジタル放送受信装置において、
該電子番組案内中の特定の番組を指定して、該番組へのチャンネル切替え、または記録再生装置への録画の制御を行う主制御部と、
該制御内容を予約情報として保存する制御予約データ保持部を備えるとともに、
インターネットを介して番組情報の提供サーバより番組情報を取得するネットワーク接続部を制御するネットワーク側制御部と、
番組案内映像を出力する番組案内保持部を備え、
受信中の放送の番組案内を該主制御部による制御により継続して確認または更新するとともに、受信中の放送とは異なる放送の番組案内を該制御予約データ保持部に予約した制御開始時刻まで、所定の時間経過するごとに該ネットワーク側制御部による制御によりインターネットを介して確認または更新するようにしたことを特徴とするデジタル放送受信装置。
【請求項２】
請求項１記載のデジタル放送受信装置において、
前記ネットワーク側制御部は、前記制御予約データ保持部に制御予約した番組の内で、最も開始時刻が早い番組の放送の番組情報を他の放送の番組情報に比べて高頻度で、インターネットを介して番組情報の提供サーバより取得して番組案内を確認または更新することを特徴とするデジタル放送受信装置。
【請求項３】
請求項１記載のデジタル放送受信装置において、
前記電子番組表の確認または更新からの経過時間に対応した情報を放送種別毎に表示することを特徴とするデジタル放送受信装置。
【請求項４】
請求項１記載のデジタル放送受信装置において、
前記制御予約した番組の開始時刻が、制御予約した時点に比べて該電子番組表の更新に伴い開始時刻が早まったか開始時刻が遅くなったかの情報を電子番組表もしくは制御予約を確認するための制御予約確認表に表示することを特徴とするデジタル放送受信装置。
【発明の詳細な説明】
【０００１】
【発明の属する技術分野】
この発明は、地上波デジタル放送のように放送種別毎に番組情報が映像と共に放送されるデジタル放送の受信装置に係るものである。
【０００２】
【従来の技術】
従来の受信装置は、単にデータベースに対して独自の番組情報の提供を受けるものである（例えば、特許文献１）。また、インターネットによって提供される番組情報が更新されたことを示す情報を放送メディアによって提供を受ける電子番組案内システムがある（例えば、特許文献２）。また、複数の受信回路を備え、プログラムの受信処理を行っていない受信回路により、常に最新の選局情報を取得する（例えば、特許文献３）。
【０００３】
【特許文献１】
特開２００１−２３８１９６号公報　（第２−１３頁、図２）
【特許文献２】
特開２００１−２７５０５５号公報　（第２−７頁、図１）
【特許文献３】
特開２０００―１３６９６号公報　（第２−７頁、図１）
【０００４】
【発明が解決しようとする課題】
新しく放送が予定されている地上波デジタル放送は、放送種別毎に番組情報が映像と共に放送されるため、特定のチャンネルを選局して視聴し続けた場合、他チャンネルの電子番組表は更新されないままとなり、その間に番組が変更となって、指定した番組へのチャンネル切替えやビデオテープレコーダへの録画等の制御が、使用者の意図した番組の開始時刻に始まらなくなるという課題があった。
【０００５】
この発明の第一の目的は、番組単位の番組情報による制御を、番組表が変更になっても変更前に意図した番組に対して正確に制御を行えるようにすることにある。
【０００６】
この発明の第二の目的は、電子番組表の確認・更新からの経過時間情報を電子番組表に表示するものである。ここで、確認・更新とは、電子番組表が既に入手しているものと同じかどうかを確認し、相違していればデータを更新することである。
【０００７】
この発明の他の目的は、受信装置に制御予約した番組の時間枠が変更になったかどうかを容易に知ることができるようにするものである。
【０００８】
【課題を解決するための手段】
この発明は、第一の目的に対して、受信中とは異なる放送の番組案内をインターネット経由して番組情報の提供サーバに接続して自動取得するようにネットワーク側制御部で制御するとともに、制御予約が正しく動作するように開始時刻が早い番組の放送の番組情報を他の放送の番組情報に比べて高頻度で取得するものである。
【０００９】
この発明は、第二の目的に対して、電子番組表の確認・更新時刻を、各放送種別毎に記録し、電子番組表を表示する際に、現在時刻との差から経過時間を計算し、さらに該経過時間を別の情報に変換して電子番組表に表示するものである。
【００１０】
この発明は、他の目的に対して、制御予約した番組の開始時刻が制御予約した時点に比べて該電子番組表の更新に伴い開始時刻が早まったか開始時刻が遅くなったかの情報を、電子番組表もしくは制御予約を確認するための制御予約確認表に表示するものである。
【００１１】
【発明の実施の形態】
実施の形態１．図１は、この発明の実施の形態１によるデジタル放送受信装置の構成を示すブロック図である。図１において、１００はデジタル放送受信装置であり、１０１は放送受信部、１０２は主映像・音声復号部、１０３は合成・切替出力部、１０４は表示装置、１０５はスピーカ、１０６は操作部、１０７は主制御部、１０８はネットワーク接続部、１０９はネットワーク側制御部、１１０は番組案内保持部、１１１は制御予約データ保持部、１１２は副映像・音声復号部、１１３は遠隔操作装置、１１４は外部入力端子である。また、２００は放送受信アンテナ、３００はビデオテープレコーダ等の記録装置、４００はインターネット、５０１は第１の番組情報サーバ、５０２は第２の番組情報サーバ、５０３はＷＥＢサーバである。
【００１２】
デジタル放送受信装置１００は、遠隔操作装置１１３を操作もしくは直接に操作部１０６を操作することによって、主制御部１０７とネットワーク側制御部１０９を介して他のブロックを制御する。放送受信部１０１は、主制御部１０７によって制御されて、放送受信アンテナ２００からの放送信号から所望の放送チャンネルを選局して映像・音声の未処理の信号を主映像・音声復号部１０２に出力するとともに、番組情報の未処理の信号を主制御部１０７に出力する。主映像・音声復号部１０２は、映像と音声のデータを個々に復号して合成・切替出力部１０３に出力する。主制御部１０７で処理された受信中の放送に関するデータは、番組案内保持部１１０に入力され、保持される。また、自動チャンネル切り替えやビデオテープレコーダ録画等の制御の予約データは、制御予約データ保持部１１１に保存される。
【００１３】
一方、ネットワーク側制御部１０９は、ネットワーク接続部１０８を制御してインターネット４００を介して受信中の放送とは別の放送の番組情報サーバの５０１、５０２等に接続し、番組情報を取り込み、ネットワーク側制御部１０９で処理して、該当の放送に関するデータを番組案内保持部１１０に書き込む。
【００１４】
なお、放送とは別にインターネット４００を介してＷＥＢサーバ５０３に接続し、ネットワーク接続部１０８から副映像・音声復号部１１２を介して合成・切替・出力部１０３へと映像・音声信号を取り込んでもよい。そして、合成・切替・出力部１０３は、主映像・音声復号部１０２と、副映像・音声復号部１１２と、番組案内保持部１１０と、外部入力１１４等の入力信号を合成もしくは切替えて、音声信号はスピーカ１０５に、映像信号を表示装置１０４に出力する。
【００１５】
この実施形態１によれば、受信中の放送以外の放送の番組情報をインターネット経由でいつでも取り込むことができるので、受信中の放送以外の放送で制御予約のある番組の時間枠が変更になっても、番組案内保持部１１０のデータを更新して、制御予約のある番組を正しく制御することができる効果がある。
【００１６】
実施形態２．図２は、図１のデジタル放送受信装置をベースとした本発明の実施形態２による番組情報の取り込み方法を示すタイミング図である。上段は放送受信中の１チャンネル（１ｃｈ）であり、図１の主制御部１０７による番組情報の取り込み時間帯８０１を黒塗りでしており、継続して番組情報の取り込みを行う。横方向が時間軸であって、右向きが時間の進む方向である。図２の中段及び下段は、図１のネットワーク側制御部により時分割で異なる放送の番組情報の取り込みをインターネット経由で行っている様子を示す。中段は制御予約の有る２チャンネル（２ｃｈ）であり、制御予約のある番組の開始時刻（０ｈ）に近くなるほど、自動的に番組情報の取り込みの間隔を狭くし、取り込み頻度を高くしている。一方、下段は制御予約の無い３チャンネル（３ｃｈ）であり、番組情報の取り込みの間隔をほぼ一定とし、取り込み頻度は低いままである。
【００１７】
したがって、この実施形態２によれば、受信中の放送以外の放送の番組情報が、制御予約した番組の直近で変更のあった場合でも番組情報を取得して、当初予定していた番組に対して適確な制御を行うことができる効果がある。
【００１８】
実施形態３．図３は、図１のデジタル放送受信装置をベースとした本発明の実施形態３による番組案内６００を示す。図１の主制御部１０７とネットワーク側制御部１０９とから番組情報を取り込んで、番組案内保持部１１０のデータを確認し、変更があれば更新し、操作部１０６に番組案内の表示命令があると、番組案内が合成・切替出力部１０３を経由して、表示装置１０４に出力される。チャンネル表示枠６０１の背景色は、最後に番組情報の取り込みを行ってからの経過時間によって、濃淡で区別している。同図では、色が濃いほど、時間が経過していることを示すようにした。図２の破線８０２の時刻の状態で濃淡をつけた場合を示しており、１ｃｈは、継続して番組情報の取り込みをしているため白色である。２ｃｈは、最後に番組情報の取り込みを行ってからの経過時間が小のため、薄い色である。３ｃｈは、最後に番組情報の取り込みを行ってからの経過時間が大のため、濃い色である。
【００１９】
したがって、番組案内表示を見ただけで、最後に番組情報の取り込みを行ってからのおおよその経過時間を知ることができ、必要であれば手動でチャンネルを指定して、新しく番組情報の取り込みを指示できるという効果がある。
【００２０】
なお、実施形態３では図示しなかったが、最後に番組情報の取り込みを行ってからの経過時間を背景色の違いで示す以外に、数字又はアイコンで示してもよい。
【００２１】
実施形態４．図４は、図１のデジタル放送受信装置をベースとした本発明の実施形態４によるによる制御予約確認表７００を示し、図５は、番組案内６００を示す。図４において、種別の欄は、「録画」がビデオテープレコーダに録画する予約であることを示し、「切替」は、チャンネル切替の予約であることを示す。タイトルの欄は、番組のタイトルである。ｃｈの欄は、チャンネル番号を示す。時間枠の欄は、番組の最新の更新による時間枠を示す。これとは別に、制御予約した時点の時間枠は、別に記録しておく。変更の欄は、制御予約してからの該当する番組の時間枠が変更になった時間を示し、０ｈは変更なし、＋は後に変更、−は前に変更を表す。一方、図５は番組案内６００の表示において、制御予約のある番組枠６０２を太線で囲み、目に付くようにしている。更に、制御予約してからの該当する番組の時間枠が変更になった場合には、番組枠６０２の背景色を変えるようにしている。図５では、映画１の番組の時間枠が後に変更になったため、番組枠６０２の背景色を濃くしている。一方、ニュースの番組の時間枠は無変更のため、番組枠の背景色は白である。
【００２２】
このように、予定していた時刻に制御が始まらない場合は、制御予約確認表７００もしくは番組案内６００の背景色を見ることにより、時間枠の変更の有無を簡単に知ることができる効果がある。そして、必要があれば、手動で制御予約を取り消す。
【００２３】
なお、上記各実施の形態において図示しなかったが、主制御部とネットワーク制御部は、１個の中央処理装置（ＣＰＵと呼ぶ）をマルチタスクで実行しても良いし、それぞれの構成別に２個のＣＰＵを用いてタスクを実行させてもよい。
【００２４】
【発明の効果】
以上のように、本発明では、デジタル放送受信装置の番組案内を放送経由で取り込むための主制御部と、インターネット経由から取り込むためのネットワーク側制御部を備えて、地上波デジタル放送であっても、異なる放送の番組案内を同時に作成できるため、受信中の放送以外の放送の制御予約した番組の時間枠が変更になっても、意図した制御を行うことができる効果がある。また、番組案内や制御予約表において、更新してからの経過時間もしくは時間枠の変更時間を背景色の違いで表示するようにしたため、制御予約状態の確認が容易となる効果がある。
【図面の簡単な説明】
【図１】本発明の実施形態１によるデジタル放送受信装置の構成を示すブロック図。
【図２】本発明の実施形態２による番組情報の取り込み方法を示すタイミング図。
【図３】本発明の実施形態３によるデジタル放送受信装置による番組案内を示す図。
【図４】本発明の実施形態４によるデジタル放送受信装置による制御予約確認表を示す図。
【図５】本発明の実施形態４によるデジタル放送受信装置による番組案内を示す図。
【符号の説明】
１００　デジタル放送受信装置、１０１　放送受信部、１０２　主映像・音声復号部、１０３　合成・切替・出力部、１０４　表示装置、１０５　スピーカ、１０６　操作部、１０７　主制御部、１０８　ネットワーク接続部、１０９　ネットワーク側制御部、１１０　番組案内保持部、１１１　制御予約データ保持部、１１２　副映像・音声復号部、１１３　遠隔操作装置、１１４　外部入力、２００　放送受信アンテナ、３００　ビデオテープレコーダ、４００　インターネット、５０１　第１の番組情報サーバ、５０２　第２の番組情報サーバ、５０３　ＷＥＢサーバ、６００　番組案内、６０１　チャンネル表示の欄、６０２　番組の時間枠、７００　制御予約確認表、７０１　変更の欄、８０１　番組情報の取り込み時間帯、８０２　図５を表示の時刻を示す破線。
【図１】
2004147235.tif 000003
【図２】
2004147235.tif 000004
【図３】
2004147235.tif 000005
【図４】
2004147235.tif 000006
【図５】
2004147235.tif 000007